(57)【要約】【課題】ゴルファーの視覚的な集中性を提供し、打球時にも終りまでヘッドに注視させることで、心理的な打球の安定性とヘッドアップの防止、バックスイングの自制などの作用効果を有するゴルフクラブのヘッドアッセンブリーを提供する。【解決手段】ゴルフクラブであるドライバーＤ、アイアンＩ、パターＰは、ドライバーＤ、アイアンＩ、パターＰの打面Ｆに接するヘッドの上面ＣＲの、打撃線方向の中心線Ｃ上、または中心線Ｃ上以外の所定位置などに、所定の形状のマーク体の視線集中マークを１個以上有する視線集中手段を備えるので、ゴルファーの打球時に視線がガイドされて、ゴルフクラブのヘッドに視線を持続的に維持させることができ、ゴルフクラブの慎重な運用を行うことができ、良好なゴルフの習慣を体得させるものである。【選択図】図７ａ
2007044087.tif 000002
【特許請求の範囲】
【請求項１】
ゴルフクラブのヘッドアセンブリーであって、
アイアンＩのヘッドＨの打面Ｆ上に、打球時のゴルファーの視線誘導手段として、陥入されたチャンネル形状の視線誘導チャンネルＣ１、Ｃ２を、前記ヘッドＨの下方側に向かって隔たりｄが狭くなるように形成したことを特徴とするゴルフクラブのヘッドアセンブリー。
【請求項２】
ゴルフクラブのヘッドアセンブリーであって、
アイアンＩのヘッドＨの打面Ｆ上に、打球時のゴルファーの視線誘導手段として、概略Ｖ字形などの所定の図案体で、かつ金属着色、グラウティング加工、ローレット切り、カーボンコーティング、金属粉末コーティングなどの所定の形成方法で、着色部Ｃｆを形成したことを特徴とするゴルフクラブのヘッドアセンブリー。
【請求項３】
ゴルフクラブのヘッドアセンブリーであって、
アイアンＩ又はパターＰの打面Ｆの背面Ｃに付着させられた視線集中球を備え、
前記視線集中球は、１／２，又は１／４球の形状で切断されたゴルフボールの形状体の視線集中球１０、鋼球の半球形状の視線集中球１１、所定の裝飾体である視線集中球１２のいずれかであることを特徴とするゴルフクラブのヘッドアセンブリー。
【請求項４】
ゴルフクラブのヘッドアセンブリーであって、
アイアンＩのヘッドＨの打面Ｆ上に打球時のゴルファーの視線誘導手段として、前記ヘッドＨの底面部であるヘッドフェースＨＦと連接し、打球時に地面と接触する底面を具備するネック部Ｎに隣接するスリップ領域ＳＡ上に、陰刻線体で陥入または陽刻線体で突出した複数のスリップラインＳＬを具備することを特徴とするゴルフクラブのヘッドアセンブリー。
【請求項５】
ゴルフクラブのヘッドアセンブリーであって、
パターＰのヘッドＨの打面Ｆ上に図形的な構成体で構成される所定の形状の集中面具３０と、前記ヘッドＨの上方に後方へ延びる視線案内フラグ４０を、後方へ延長されるリブ形状としてヘッドＨに一体または別途に構成して備え、前記視線案内フラグ４０上には、視線ガイド手段である視線案内突部を所定の形状の延長体で一体として構成したことを特徴とするゴルフクラブのヘッドアセンブリー。
【請求項６】
ゴルフクラブのヘッドアセンブリーであって、
ドライバーＤのヘッドＨの打面Ｆの上段基準線Ｌに対して収束または発散する所定の多角形状体である視線集中ガイドライン６０を、ヘッド上面ＣＲ上に、陰刻で陥入、陽刻突出、線形印刷体のいずれか一方法で１個以上備えることを特徴とするゴルフクラブのヘッドアセンブリー。
【請求項７】
ゴルフクラブのヘッドアセンブリーであって、
ドライバーＤ、アイアンＩ、又はパターＰのいずれかの打面Ｆに接するヘッド上面ＣＲの、打撃線方向の中心線Ｃ上、又は中心線Ｃ上以外の所定位置に所定の形状のマーク体である視線集中マークを１個以上有することを特徴とするゴルフクラブのヘッドアセンブリー。
【発明の詳細な説明】
【技術分野】
【０００１】
本発明はゴルフクラブのヘッドアセンブリーに関するものであり、より詳しくは、ドライバー（フェアウェイウッドを含む）、アイアン、パター、などの様々なゴルフクラブのヘッドの構成の改善に関するものである。
【背景技術】
【０００２】
ゴルフはマインドのゲームというほどで心理的な要因が重要な要素となるため、各個人の性格が反映されるから正確なゴルフの感覚を形成するのが難しい問題点がある。特に、初心者の場合は性急なゴルフクラブの利用で望ましくないゴルフの姿勢が身に付いて実力の向上にならないことが多い。
【０００３】
一般的にゴルフで重要視され、ゴルファーに要求される主要な事項は、ゴルフクラブの使用のときに打撃姿勢を乱すことなく、ゴルフボールの進路の正確な設定のためにバックスイング時に比較的ゆっくりゴルフクラブを運用すること、ゴルフクラブを使用する際に手首だけを使用して打撃する、いわゆるコーキング現象を最小化すること、ゴルフクラブの使用のときに力が加わりすぎないように力を制御すること、ヘッドアップ（Head up: ボールを打った以後も頭がボールの位置を眺めていなく、上げられるのこと。）をしないこと、ゴルフクラブの運用において、リズムとタイミングを正確に設定することなどがあり、このような様々な事項は相当な部分、ゴルファーの性急なゴルフクラブの使用による心理的な要因によることが大きい。
【発明の開示】
【発明が解決しようとする課題】
【０００４】
本発明の課題は、ヘッドにおけるゴルファーの視覚的な集中性を提供し、打球時にも終りまでヘッドに注視させることで、心理的な打球の安定性とヘッドアップの防止、バックスイングの自制などの様々な作用効果を有するゴルフクラブのヘッドアセンブリーを提供する。
【課題を解決するための手段及び発明の効果】
【０００５】
上記課題を解決するための本発明のゴルフクラブのヘッドアセンブリーの第一は、
アイアンIのヘッドHの打面F上に、打球時のゴルファーの視線誘導手段として、陥入されたチャンネル形状の視線誘導チャンネルC1、C2を、ヘッドHの下方側に向かって隔たりdが狭くなるように形成したことを特徴とする。
【０００６】
上記課題を解決するための本発明のゴルフクラブのヘッドアセンブリーの第二は、
アイアンIのヘッドHの打面F上に、打球時のゴルファーの視線誘導手段として、概略V字形などの所定の図案体で、かつ金属着色、グラウティング加工、ローレット切り、カーボンコーティング、金属粉末コーティングなどの所定の形成方法で、着色部Cfを形成したことを特徴とする。
【０００７】
上記課題を解決するための本発明のゴルフクラブのヘッドアセンブリーの第三は、
アイアンI又はパターPの打面Fの背面Cに付着させられた視線集中球を備え、
視線集中球は、1／２，又は１／４球の形状で切断されたゴルフボールの形状体の視線集中球10、鋼球の半球形状の視線集中球11、所定の裝飾体である視線集中球12のいずれかであることを特徴とする。
【０００８】
上記課題を解決するための本発明のゴルフクラブのヘッドアセンブリーの第四は、
アイアンＩのヘッドＨの打面Ｆ上に打球時のゴルファーの視線誘導手段として、ヘッドＨの底面部であるヘッドフェースＨＦと連接し、打球時に地面と接触する底面を具備するネック部Ｎに隣接するスリップ領域ＳＡ上に、陰刻線体で陥入または陽刻線体で突出した複数のスリップラインＳＬを具備することを特徴とする。
【０００９】
上記課題を解決するための本発明のゴルフクラブのヘッドアセンブリーの第五は、
パターPのヘッドHの打面F上に図形的な構成体で構成される所定の形状の集中面具３０と、前記ヘッドHの上方に後方へ延びる視線案内フラグ４０を、後方へ延長されるリブ形状としてヘッドHに一体または別途に構成して備え、視線案内フラグ４０上には視線ガイド手段である視線案内突部を所定の形状の延長体で一体として構成したことを特徴とする。
【００１０】
上記課題を解決するための本発明のゴルフクラブのヘッドアセンブリー第六は、
ドライバーDのヘッドHの打面Fの上段基準線Lに対して収束または発散する所定の多角形状体である視線集中ガイドライン６０を、ヘッド上面CR上に、陰刻で陥入、陽刻突出、線形印刷体のいずれか一方法で1個以上備えることを特徴とする。
【００１１】
上記課題を解決するための本発明のゴルフクラブのヘッドアセンブリーの第七は、
ドライバーＤ、アイアンＩ、又はパターＰのいずれかの打面Ｆに接するヘッド上面ＣＲの、打撃線方向の中心線Ｃ上、又は中心線Ｃ上以外の所定位置に所定の形状のマーク体である視線集中マークを１個以上有することができることを特徴とする。
【００１２】
以上のような本発明の構成によれば、心理的で幾何学的な視線集中効果を有するので、的中性を増大し、パターの運用がゆっくりとしたバックスイングとダウンスイングになる効果を有する。したがって、好ましいゴルフクラブの慎重な運用が自然にゴルファーの体に体得される。且つ、パターの重要なスイング動作即ちバックスイングなどの場合、打撃部への視線集中効果として、ゴルファーが集中するようになり、そのために急激なスイング動作が防止される効果がある。だから、防止すべきヘッドアップの姿勢を更に最小化することができる。
【発明を実施するための最良の形態】
【００１３】
本発明の好ましい構成と技術的な思想は、すべてのゴルフクラブに様々な実施例として適用が可能であり、以下ではその基本的な技術的な思想を同一にしながら、ドライバー（以下、フェアウェイウッドを含む）、アイアン、パターに各々適用される実施例とその変形例として本発明を説明し、ゴルフクラブの種類が違っても同一な種類のヘッドと、ヘッドの該当部分における符号は同一に使用する。
【実施例１】
【００１４】
図１ａから１ｄまでは、本発明のヘッドがアイアンＩに適用された第１実施例及びその変形例を表す。アイアンＩのヘッドＨだけを表す図面のように、従来から、摩擦を生じてゴルフボールのスリップを防止するために、打面Ｆ上に複数の陰刻線などの平行する摩擦線Ｓが形成される。図１ａに示すように、本発明のアイアンＩは打面Ｆに対して両側端部で概略チャンネル形状（溝形状）で陥入された機械加工による視線誘導チャンネルＣ１、Ｃ２が下方側に向かって隔たりｄが狭くなるように形成されている。
【００１５】
図１ｂは第１変形例として、打面Ｆ上の摩擦線Ｓ上で概略Ｖ字形が形成されるように打面Ｆ中央部に金属着色、グラウティング加工、ローレット切り、カーボンコーティング、金属粉末コーティングなどの所定の形成方法で着色部Ｃｆを形成し、両端側では鍍金処理された一般的な金属表面の非着色部Ｎｃ１、Ｎｃ２を備えて視線ガイド図形Ｇを構成している。
【００１６】
上記の着色部Ｃｆと非着色部Ｎｃ１、Ｎｃ２が形成する視線ガイド図形Ｇは、第２変形例の図１ｃのように鋭角形のＶ形、また、第３変形例の図１ｄのようにヘッドＨの下底面部に隣接となって形成された小Ｖ字形などで構成でき、これらが形成する図形体の頂点ＰがアイアンＩの重心上に位置するのが好ましい。
【００１７】
視線ガイド図形Ｇは、打球時にゴルファーに高い視認性を与えるから、ゴルフボールへの視線の集中とアイアンＩの運用時の正しい打球を視覚的、心理的に誘導する効果を有し、視線ガイド図形Ｇが存在するので、ゴルファーは意図的に視線ガイド図形Ｇが形成する打撃点内にゴルフボールを的中するために、終りまでヘッドＨから視線変更をしないので、従来の性急なゴルフクラブの運用による問題点が一掃できる。
【実施例２】
【００１８】
図２ａから図２ｃまでは技術的な思想を共に有する第２実施例で、同様にアイアンＩを表す。アイアンＩは、打面Ｆの背面ＣＢに付着される様々な視線集中球を備え、該視線集中球は、図２ａのような１／２，又は１／４球の形状で切断されたゴルフボールの形状体の視線集中球１０、図２ｂの第１変形例のように鋼球の半球形状の視線集中球１１、第２変形例の図２ｃのように星の形状の裝飾体である視線集中球１２など色々な形状で備えられる。
【００１９】
視線集中球１０、１１、１２は鋼鉄球、ステンレス、合成樹脂材で別途に成形して付着したり、アイアンＩと一体に成形することができ、より好ましくは視線集中球１０、１１、１２の重心ｇとヘッドＨの重心ｇｈを一致させるのがよい。
【００２０】
上記の視線集中球１０、１１、１２の使用で、打撃線上Ｌに位置するゴルフボールＢに対して、ゴルファーはアイアンＩのヘッドＨを意識しなく、視線集中球とゴルフボールＢを打撃させられるので、視覚的に、更に心理的に打撃中心点を一致させることが非常に容易になるから、正確な打撃を誘導し、姿勢矯正が自然になされる。
【実施例３】
【００２１】
図３ａは、本発明の第３実施例がアイアンに適用された場合を示す。アイアンＩのヘッドＨの底面部のヘッドフェースＨＦと連接し、打球時に地面と接触する底面がネック部Ｎから延長した形状体である一般的な構成のアイアンＩに対して、本発明はアイアンＩのヘッドＨのネック部Ｎに隣接するスリップ領域ＳＡ上に陰刻線体で陥入した複数のスリップラインＳＬを様々な形状で備える。
【００２２】
スリップラインＳＬは、図３ａに図示すように、ヘッドＨの幅を横切って機械加工される陰角線体または突き出る線体であり、ヘッドＨの中心線ＮＣよりもネック部Ｎに近く位置するのが望ましい。スリップラインＳＬの数に制限はなく、図３ｃの第２変形例のように、Ｗ字の形状とでき、図３ｂの第１変形例のように、ヘッドフェースＨＦから延長してヘッドＨの打面Ｆの反対面まで延びるように構成した、打球時の摩擦を低減するスリップ図形体ＳＤがスリップラインＳＬに附加するように構成できる。
【００２３】
更に、図３ｄの第３変形例のように、ヘッドＨの底面にくさび形状のウエッジピンＷＰを備えるウエッジライナーＷを形成した構成のアイアンＩの場合も、やはりスリップラインＳＬがウエッジライナーＷの一部から延びる様々な形状で形成することができる。
【００２４】
本実施例は、スリップラインＳＬによって、ヘッドの運用時にゴルファーの視線の集中及びガイドの役割、更に、地面との摩擦を低減させて飛距離を増大する効果を有する。
【実施例４】
【００２５】
図４は本発明の技術的な思想がパターＰに適用された例を表しており、例示的に図示するパターＰのヘッドＨの打面Ｆの反対側の胴体部ＢＤに、視線誘導用の半球、１／４球の形状で切断されたゴルフボール、鋼球体の半球などの視線集中球２５を一体または別途に付着するので、第２実施例と同じ効果が得られる。
【実施例５】
【００２６】
図５ａから図５ｄは、本発明のヘッドがやはりパターに適用された第５実施例及びその個々の変形例を表す。図５ａもその背面図の図５ｂのように、パターＰのシャフトを固定するためのシャフトＳＨを備えるヘッドＨは、打面Ｆに、所定の厚さｔで、一体に成形されたり、又は別途の金属板材で加工されて付着された集中面具３０を備えている。集中面具３０は、中央部の逆三角形の集中マーク３１と両側の誘導マーク３２とを、正三角形状体で構成して組み合わせた図形的な構成体として別途の板体で構成され、またはヘッドＨの打面Ｆの側面余白部Ｖを切削加工して構成されている。
【００２７】
更に、ヘッドＨの上方側に任意の長さＬ２ほど、後方へ延長された視線案内フラグ４０を、後方へ延びるリブ形状としてヘッドＨに一体または別途で構成し、やはり後方へ延長される様々な突出線体の視線案内部４１を備えるようにする。
【００２８】
図５ｃは本実施例の第１変形例として、ヘッドＨの視線案内フラグ５０が後方へ延長される視線案内突部５１を、中央に陥入した案内線５２を備える逆三角形状で構成されたものを例示的に表し、打面Ｆ上の集中面具５５は、色々な多角形状や、仕切り線で突出形成されている。
【００２９】
このような構成のパターＰによれば、パターＰの重要なスイング動作、即ち、バックスイングなどの場合、集中面具５５にゴルフボールを的中するために、ゴルファーは集中面具５５とその後方に延びる視線案内フラグ５０の視線ガイド手段に従って視線を移動するようになって、ゴルフボールに対するスローなインパクトが誘導されて、急激なスイング動作が抑制される効果があってヘッドアップが最小になる。
【実施例６】
【００３０】
図６ａは本発明のヘッドがドライバーＤに適用された第６実施例を表す斜視図、図６ｂはその変形例を表す斜視図である。ドライバーＤは、ヘッドＨの打面Ｆの上段基準線Ｌに対して収束または発散する様々な図形体の視線集中ガイドライン６０を有する。
【００３１】
視線集中ガイドライン６０は、図６ａのように、ヘッド上面ＣＲ上に陰刻で陥入（沈み彫り）、陽刻突出（浮き彫り）、または単純な線形印刷体で構成でき、基準線Ｌに対して多角形状の図形の形態としては、色々なものを採用することができる。これら視線集中ガイドライン６０の頂点ＡＰの共通的な特徴は、ドライバーＤのヘッドＨの重心Ｇが移動する打撃線Ｔ上に位置することである。
【００３２】
更に、図６ａのような単一の視線集中ガイドライン６０の他に、第１変形例として図６ｂのように、ヘッド上面ＣＲ上に３個の視線ガイドライン６０、６１、６２を有したり、第２変形例として、図６ｃのように、逆三角形状の視線集中ガイドライン６３、６４、６５を有したりし、幾何学的な視線集中効果でゴルファーの視線の正確な誘導と打球の方向性を心理的に増大することができる。
【実施例７】
【００３３】
ドライバーＤのヘッドＨのゴルフボールが接触する打面Ｆに連なるヘッド上面ＣＲに、打球時の視線を集中させることができる様々な手段を有するように構成でき、本発明がドライバーＤに適用された図７ａでは、このような手段のひとつとして、ヘッド上面ＣＲの打撃線の方向の中心線Ｃに概略”Ｗ”字形状の視線集中マークＭ１が形成されている。
【００３４】
視線集中マークＭ１は、様々な形状でヘッド上面ＣＲに印刷、陰刻、陽刻などの方法で附与され、本発明ではゴルファーの視線の集中と視線の方向性を考慮して、例示的に”Ｗ”字形で表されている。説明の便宜のために、すべて図視しているものの、ヘッドＨの打球方向の中心線Ｃ上、中心線Ｃ上以外の所定位置に、点線のように視線集中マークＭ２、Ｍ３を選択的に形成しても同一の作用効果を有する。つまり、中心線Ｃ上に視線集中マークＭ１を形成してもよいし、その替わりに、中心線Ｃ上以外の、シャフトが取り付けられるネック部側の所定領域に視線集中マークＭ３を形成するようにしてもよい。或いは、視線集中マークＭ３が形成されている位置と、中心線Ｃに対して反対の位置となる位置に視線集中マークＭ２を形成してもよい。視線集中マークは、少なくともいずれかの位置に形成されておれば、ゴルファーの視線集中効果が得られる。
【００３５】
視線集中マークＭ１、Ｍ２、Ｍ３の代わりに図７ｂの第１変形例のように、便宜のために一体に表すが、視線集中マークＭＣ１、ＭＣ２、ＭＣ３のいずれの一つが、製造メーカーのロゴ、書体、ブランドの形状体でメーカー標識体とされるように構成でき、このようにすることで、使用者に自社の継続的な宣伝及び心理的な印象付けが可能となる。
【００３６】
図７ｃの第２変形例は、本実施例がパターＰに適用された場合を示し、パターＰのヘッドＨの上面であるヘッド上面ＣＲにやはり概略”Ｗ”字形状などの様々な形状の視線集中マークのＭ４、Ｍ５、Ｍ６を打撃方向の中心線Ｃの左右側などに附与しているが、便宜のために、これらを一体として表している。
【００３７】
図７ｄは本実施例の第３変形例として、アイアンＩに適用された場合を図示しており、やはり便宜のために共に表すが、アイアンＩのヘッドＨの打面Ｆ上面に、打撃方向の中心線Ｃに従って視線集中マークＭ７、Ｍ８、Ｍ９が選択的に配設され、該作用効果はパターＰ及びドライバーＤの場合と同様である。
【００３８】
本実施例の視線集中マークは、ゴルファーの打球時の視線を持続的に誘導する一種の誘導マークとして作用して、相当程度の心理的な視線集中効果を有する。更に、バックスイングの時は、望ましいヘッド１の運動軌道を視覚的に容易に把握できるようにするので、急激なバックスイングを防止する効果も備える。
【００３９】
上記の構成の本発明の視線ガイド機能を有するゴルフクラブヘッドは、ドライバーＤ（フェアウェイウッド含む）、アイアンＩ、パターＰの様々な形状のヘッドに適用が可能で、且つ、従来の各種のゴルフクラブでもすぐに適用が可能であり、ゴルファーの打球時の視線を集中して誘導する標識体を提供するので、ヘッドの持続的な注視を可能として、打撃時の方向性を増大させ、バックスイング時の軌道の視覚的な認識などを容易にするから、心理的な要因による打球姿勢の増進と実力の向上が可能である。且つ、打球時に視線がガイドされるから、ゴルフクラブのヘッドに視線を持続的に維持させる習慣を体得させて、ゴルフクラブの慎重な運用が自然にゴルファーの身につくことになる。
【図面の簡単な説明】
【００４０】
【図１ａ】本発明のゴルフクラブのヘッドアセンブリーがアイアンに適用された第1実施例の正面図。
【図１ｂ】図1aの第1実施例の第1変形例の正面図。
【図１ｃ】図1aの第1実施例の第2変形例の正面図。
【図１ｄ】図1aの第1実施例の第3変形例の正面図。
【図２ａ】アイアンに適用された第2実施例の斜視図。
【図２ｂ】アイアンに適用された第2実施例の第1変形例を表す斜視図。
【図２ｃ】アイアンに適用された第2実施例の第2変形例を表す斜視図。
【図３ａ】アイアンに適用された第3実施例の底面部の斜視図。
【図３ｂ】アイアンに適用された第3実施例の第1変形例を表す斜視図。
【図３ｃ】アイアンに適用された第3実施例の第2変形例を表す斜視図。
【図３ｄ】アイアンに適用された第3実施例の第3変形例を表す斜視図。
【図４】パターに適用された第4実施例の斜視図。
【図５ａ】本発明がパターに適用された第5実施例の斜視図。
【図５ｂ】本発明がパターに適用された第5実施例の背面図。
【図５ｃ】第5実施例の第1変形例の斜視図。
【図６ａ】本発明のヘッドがドライバーに適用された第6実施例の斜視図。
【図６ｂ】第6実施例の第1変形例の斜視図。
【図６ｃ】第6実施例の第2変形例の斜視図。
【図７ａ】本発明のヘッドがドライバーに適用された第7実施例の斜視図。
【図７ｂ】第7実施例の第1変形例の斜視図。
【図７ｃ】第7実施例の第2変形例の斜視図。
【図７ｄ】第7実施例の第3変形例の斜視図。
【符号の説明】
【００４１】
１０，１１，１２，２５  視線集中球
３０    集中面具
３２    誘導マーク
４０    視線案内フラグ
４１    視線案内部
５０    視線案内フラグ
５５    集中面具
６０、６１、６２  視線集中ガイドライン
６３、６４、６５  視線集中ガイドライン
【図１ａ】
2007044087.tif 000003
【図１ｂ】
2007044087.tif 000004
【図１ｃ】
2007044087.tif 000005
【図１ｄ】
2007044087.tif 000006
【図２ａ】
2007044087.tif 000007
【図２ｂ】
2007044087.tif 000008
【図２ｃ】
2007044087.tif 000009
【図３ａ】
2007044087.tif 000010
【図３ｂ】
2007044087.tif 000011
【図３ｃ】
2007044087.tif 000012
【図３ｄ】
2007044087.tif 000013
【図４】
2007044087.tif 000014
【図５ａ】
2007044087.tif 000015
【図５ｂ】
2007044087.tif 000016
【図５ｃ】
2007044087.tif 000017
【図６ａ】
2007044087.tif 000018
【図６ｂ】
2007044087.tif 000019
【図６ｃ】
2007044087.tif 000020
【図７ａ】
2007044087.tif 000021
【図７ｂ】
2007044087.tif 000022
【図７ｃ】
2007044087.tif 000023
【図７ｄ】
2007044087.tif 000024